(57)【要約】【課題】プラスチック製の容器に蓋シートをヒートシールしてなり、電子レンジ加熱調理時に蓋シートが膨脹し破袋する前に剥離して容器内蒸気を逃がす蒸気逃がし用シール形状部を備えている電子レンジ加熱調理食品の容器包装体。【解決手段】フランジにはシール用環状凸部が形成されていて、このシール用環状凸部に蓋シートがヒートシールされてなり、このシール用環状凸部の一部に、電子レンジ加熱調理時に蓋シートが膨脹し破裂する前に袋内蒸気を逃がす役割を果たす蒸気逃がし用ヒートシール部を備え、この蒸気逃がし用ヒートシール部は、袋内方へ∧形に突出する∧形ヒートシール部を前記シール用環状凸部の一部として有し、かつ蓋シートの基材フィルムとシーラントフィルムとの接着面であって∧形ヒートシール部に対応する箇所にインク層が形成されている。【選択図】図１
0003134378.tif 000002
【実用新案登録請求の範囲】
【請求項１】
ヒートシール性を有するプラスチックシートよりシート成形されフランジを有するプラスチック製の容器と、内面がシーラントフィルムである積層フィルムよりなり前記容器のフランジの全周にヒートシールを施す蓋シートとからなる電子レンジ加熱調理食品の容器包装体において、フランジには、フランジの上面の幅方向の中程にかつフランジを一回りして突出しているシール用環状凸部が形成されていて、このシール用環状凸部に前記蓋シートがヒートシールされてなり、このシール用環状凸部の一部に、電子レンジ加熱調理時に前記蓋シートが膨脹し破裂する前に袋内蒸気を逃がす役割を果たす蒸気逃がし用ヒートシール部を備え、この蒸気逃がし用ヒートシール部は、袋内方へ∧形に突出する∧形ヒートシール部を前記シール用環状凸部の一部として有しており、前記蓋シートには前記∧形ヒートシール部の外側に手捲り用張り出し部があり、前記フランジの上面には蒸気逃がし用ヒートシール部の外側に蒸気逃がし通路が手捲り用張り出し部を避けて形成されている、ことを特徴とする電子レンジ加熱調理食品の容器包装体。
【請求項２】
ヒートシール性を有するプラスチックシートよりシート成形されフランジを有するプラスチック製の容器と、内面がシーラントフィルムである積層フィルムよりなり前記容器のフランジの全周にヒートシールを施す蓋シートとからなる電子レンジ加熱調理食品の容器包装体において、フランジには、フランジの上面の幅方向の中程にかつフランジを一回りして突出しているシール用環状凸部が形成されていて、このシール用環状凸部に前記蓋シートがヒートシールされてなり、このシール用環状凸部の一部に、電子レンジ加熱調理時に前記蓋シートが膨脹し破裂する前に袋内蒸気を逃がす役割を果たす蒸気逃がし用ヒートシール部を備え、この蒸気逃がし用ヒートシール部は、袋内方へ∧形に突出する∧形ヒートシール部を前記シール用環状凸部の一部として有し、かつ前記蓋シートの基材フィルムとシーラントフィルムとの接着面であって∧形ヒートシール部に対応する箇所にインク層が形成されている、
ことを特徴とする電子レンジ加熱調理食品の容器包装体。
【考案の詳細な説明】
【技術分野】
【０００１】  本願考案は、プラスチック製の容器に含水食品を収容し蓋シートでヒートシールしてなり、電子レンジ加熱調理時に蓋シートが破袋せずに膨脹し蒸気釜状態を保持し破袋寸前に一定箇所を剥離して容器内蒸気を逃がす蒸気逃がし用シール形状部を備えている電子レンジ加熱調理食品の容器包装体に関する。
【背景技術】
【０００２】  電子レンジ加熱調理食品の容器包装体は、ヒートシール性を有するプラスチックシートよりシート成形されフランジを有するプラスチック製の容器に含水食品を収容し、内面がシーラントフィルムである積層フィルムよりなる蓋シートを前記容器のフランジに一回りのヒートシールを施してなり、この一回りのヒートシールの一部に、電子レンジ加熱調理時に前記蓋シートが膨脹し破裂する前に袋内蒸気を逃がす役割を果たす袋内方へ∧形に突出する∧形ヒートシール部を備えている（例えば特許文献１参照）。【０００３】
【特許文献１】特開２００６−２０６１４２号公報、図７
【考案の開示】
【考案が解決しようとする課題】
【０００４】  しかし、従来の電子レンジ加熱調理食品の容器包装体は、容器の幅広いフランジに蓋シートがヒートシールされているので、一回りのヒートシールの全域にわたりヒートシール強度が弱いので電子レンジ加熱調理時に蓋シートが膨脹し破裂する前に袋内蒸気を逃がす箇所は必ず∧形ヒートシール部における剥離とはならない。【０００５】  本願考案は、電子レンジ加熱調理時に蓋シートが膨脹し破裂する前に袋内蒸気を逃がす箇所は必ず∧形ヒートシール部における剥離が行われる電子レンジ加熱調理食品の容器包装体を提供することを目的としている。
【課題を解決するための手段】
【０００６】  本願考案は、ヒートシール性を有するプラスチックシートよりシート成形されフランジを有するプラスチック製の容器と、内面がシーラントフィルムである積層フィルムよりなり前記容器のフランジの全周にヒートシールを施す蓋シートとからなる電子レンジ加熱調理食品の容器包装体において、フランジには、フランジの上面の幅方向の中程にかつフランジを一回りして突出しているシール用環状凸部が形成されていて、このシール用環状凸部に前記蓋シートがヒートシールされてなり、このシール用環状凸部の一部に、電子レンジ加熱調理時に前記蓋シートが膨脹し破裂する前に袋内蒸気を逃がす役割を果たす蒸気逃がし用ヒートシール部を備え、この蒸気逃がし用ヒートシール部は、袋内方へ∧形に突出する∧形ヒートシール部を前記シール用環状凸部の一部として有しており、前記蓋シートには前記∧形ヒートシール部の外側に手捲り用張り出し部があり、前記フランジの上面には蒸気逃がし用ヒートシール部の外側に蒸気逃がし通路が手捲り用張り出し部を避けて形成されている、ことを特徴とする。【０００７】  また本願考案は、ヒートシール性を有するプラスチックシートよりシート成形されフランジを有するプラスチック製の容器と、内面がシーラントフィルムである積層フィルムよりなり前記容器のフランジの全周にヒートシールを施す蓋シートとからなる電子レンジ加熱調理食品の容器包装体において、フランジには、フランジの上面の幅方向の中程にかつフランジを一回りして突出しているシール用環状凸部が形成されていて、このシール用環状凸部に前記蓋シートがヒートシールされてなり、このシール用環状凸部の一部に、電子レンジ加熱調理時に前記蓋シートが膨脹し破裂する前に袋内蒸気を逃がす役割を果たす蒸気逃がし用ヒートシール部を備え、この蒸気逃がし用ヒートシール部は、袋内方へ∧形に突出する∧形ヒートシール部を前記シール用環状凸部の一部として有し、かつ前記蓋シートの基材フィルムとシーラントフィルムとの接着面であって∧形ヒートシール部に対応する箇所にインク層が形成されている、ことを特徴とする。【０００８】  本願考案によれば、蓋シートは、容器に対して幅広なフランジではなく、フランジに凸設した太線の幅ほどのシール用環状凸部にヒートシールされるので、電子レンジ加熱により蒸気圧で蓋シートが盛り上がり膨張を始めても、∧形ヒートシール部以外では蓋シートが膨脹し破裂に至るまで内圧が上がっても剥離しない。そして、∧形ヒートシール部分については、電子レンジ加熱により蒸気圧で蓋シートが盛り上がり膨張を始めると、ヒートシールを１８０度の反対方向に引き剥がす力が集中発生することに加えて、∧形ヒートシール部分の層間剥離強度がインク層により弱く設定されているので、袋の基材フィルムが延び始めると、∧形ヒートシール部分の先端より界面剥離が発生し、更なる袋の膨張に伴って、この界面剥離が剥離幅を次第に広げていき、そのまま界面剥離が両側の∧形ヒートシール部分形成開始端同士を結んだ線付近まで進行していくか、又は、界面剥離に替わりシーラントの凝集破壊と接着剤層の層間剥離が生じてこれが両側の∧形ヒートシール部分形成開始端同士を結んだ線付近まで進行していき、容器内と容器外とを連通して蒸気を逃がすことができる。
また上記の構成によれば、∧形ヒートシール部分の剥離が進行していく途中で、基材フィルムが引き裂けてしまうことがない。そして、内容物の吹きこぼれを防止でき、袋内の液汁が漏れ出ることがない。
【考案の効果】
【０００９】  本願考案によれば、電子レンジ加熱調理時に蓋シートが膨脹し破裂する前に袋内蒸気を逃がす箇所は必ず∧形ヒートシール部における剥離が行われる電子レンジ加熱調理食品の容器包装体を提供することができる。
【考案を実施するための最良の形態】
【００１０】  図１は、電子レンジ加熱調理食品の容器包装体の斜視図を示す。
この電子レンジ加熱調理食品の容器包装体Ｐは、耐熱性およびヒートシール性を有するプラスチックシートをシート成形してなり上端開口を取り巻いてフランジ１１を有する容器１０と、内面がシーラントフィルムである積層フィルムよりなり前記容器１０のフランジ１１を一周りしてヒートシールを施す蓋シート２０とからなる。【００１１】  前記フランジ１１には、フランジ１１の上面の幅方向の中程にかつフランジ全周に突出しているシール用環状凸部１２が前記シート成形時に形成されていて、このシール用環状凸部１２に前記蓋シート２０がヒートシールされてなる。シール用環状凸部１２は、２ｍｍ幅の太線程度の細幅なので蓋シート２０とのヒートシール強度は、蓋シート２０が膨張して破裂するに至っても蒸気逃がし用ヒートシール部１３以外は剥離しない十分な接着強度が得られる。
このシール用環状凸部１２の一部に、電子レンジ加熱調理時に前記蓋シート２０が膨脹し破裂する前に袋内蒸気を逃がす役割を果たす蒸気逃がし用ヒートシール部１３を備えている。この蒸気逃がし用ヒートシール部１３は、袋内方へ∧形に突出する∧形ヒートシール部である。【００１２】  前記蓋シートの基材フィルムとシーラントフィルムとの接着面には、インク層が形成されている。このインク層は、少なくとも∧形ヒートシール部に対応する箇所にインク層が形成されていれば良い。基材フィルムの少なくとも∧形ヒートシール部分１３に対応して裏刷り印刷を施すと、∧形ヒートシール部分１３において界面剥離が生じると、∧形ヒートシール部分１３の突出寸法の半分位が界面剥離して剥離線が長くなった段階で凝集破壊と層間剥離が発生し易くするので好ましい。【００１３】  蓋シート２０は、∧形ヒートシール部分１３の外側に対応して手捲り用舌状張り出し部２１を備えている。容器１０のフランジ１１には、∧形ヒートシール部分１３の外側の蒸気逃がし通路１４を手捲り用舌状張り出し部２１から遠ざける隆状部１５がある。隆状部１５は、蒸気を手捲り用舌状張り出し部２１から遠ざけて逃がすことで、手捲り用舌状張り出し部２１を手で摘んで捲り開けるときに手捲り用舌状張り出し部２１が高温になるのを回避している。手捲り用舌状張り出し部２１を他へ設けても良いが、∧形ヒートシール部分１３の外側に対応させると、フランジ１１の広幅部を一箇所とすることができて、容器１０の形状設計がやり易くなる。【００１４】  この実施の形態によれば、∧形ヒートシール部分の先端より界面剥離が発生し、更なる袋の膨張に伴って、この界面剥離が剥離幅を次第に広げていき、そのまま界面剥離が両側の∧形ヒートシール部分形成開始端同士を結んだ線付近まで進行していくか、又は、界面剥離に替わりシーラントの凝集破壊と接着剤層の層間剥離が生じてこれが両側の∧形ヒートシール部分形成開始端同士を結んだ線付近まで進行していき、容器内と外とを連通して蒸気を逃がすことができる。【００１５】  以上、図面を参照して本願考案の電子レンジ加熱調理食品の容器包装体の実施形態を詳述してきたが、本願考案は、この実施形態に限定されるものでなく、要旨を逸脱しない範囲で種々の設計変更をした形態を含むものである。
【図面の簡単な説明】
【００１６】
【図１】本願考案の電子レンジ加熱調理食品の容器包装体の斜視図を示す。
【符号の説明】
【００１７】Ｐ…電子レンジ加熱調理食品の容器包装体
１０…容器
１１…フランジ
１２…シール用環状凸部
１３…蒸気逃がし用ヒートシール部
２０…蓋シート
【図１】
0003134378.tif 000003